(57)【要約】【課題】落下防止ワイヤーを使用する必要のない簡易な構成の、傾斜天井用の照明器具取付装置を提供する。【解決手段】傾斜天井用金具１００は、ボルト締結部（締結具１４０，１６０）に、天井側金具１１０と器具側金具１２０とを、より強固に固定する押え金具１３０を備える。押え金具１３０の一部に、照明器具を保持できるフック形状の支持部１３１が形成されている。よって、万が一、照明器具を取付ける器具取付用ボルトが外れた場合でも、支持部１３１が照明器具３００Ａのアーム３００Ａ−１を支持するので照明器具３００Ａの落下を防止できる。また、支持部１３１は、天井側金具１１０と器具側金具１２０とをより強固に固定する押え金具１３０に形成されている（押え金具１３０が支持部１３１を兼用する）ので、部品点数を削減できる。【選択図】図４
2013218833.tif 000002
【特許請求の範囲】
【請求項１】
傾斜天井に取り付けられる天井側部材であって、細長い平板形状の天井側平板部と、前記天井側平板部の長手方向における一方の端から起立する第１の天井側起立部と、他方の端から前記第１の天井側起立部の起立方向に起立する第２の天井側起立部とを有し、前記起立方向と反対側の前記天井側平板部の面が前記傾斜天井に取り付けられる天井側部材と、
細長い平板部材で形成された取付部を有する照明器具の前記取付部が取り付けられる細長い平板形状の器具側平板部と、前記器具側平板部の長手方向における一方の端から起立する第１の器具側起立部と、他方の端から前記第１の器具側起立部の起立方向に起立する第２の器具側起立部とを有し、前記第１の器具側起立部が前記第１の天井側起立部と第１の締結具で締結され、かつ、前記第２の器具側起立部が前記第２の天井側起立部と第２の締結具で締結される共に、前記第１の締結具と前記第２の締結具とを結ぶ仮想的な軸を中心に前記天井側部材に対して回動可能な器具側部材と
を備え、
前記器具側部材は、さらに、
前記器具側平板部に取り付けられた前記照明器具の前記取付部が前記器具側平板部から外れたときに、前記照明器具の前記取付部を支持する器具側支持部であって、平板で形成されたフック形状の器具側支持部を有することを特徴とする照明器具の取付装置。
【請求項２】
前記器具側部材は、
前記天井部材に対する前記器具側部材の回動を抑制する回動抑制部材を有する共に、
前記器具側支持部は、
前記回動抑制部材が兼ねることを特徴とする請求項１記載の照明器具の取付装置。
【請求項３】
前記器具側部材は、
前記器具側支持部と、前記器具側平板部と、前記第１の器具側起立部と、前記第２の器具側起立部とが、一体成形されていることを特徴とする請求項１または２のいずれかに記載の照明器具の取付装置。
【発明の詳細な説明】
【技術分野】
【０００１】
この発明は、傾斜天井に照明器具を取り付ける照明器具の取付装置に関する。
【背景技術】
【０００２】
従来、チェーン吊りタイプで、チェーン固定部が天井に対して可動する構造であることを特徴としている照明器具は提供されていた（例えば特許文献１）。照明器具を傾斜天井に取り付ける場合、照明器具を水平に設置するためには、取付面に対して角度調節が必要となる。通常、照明装置は角度調節が可能な傾斜天井用金具と組み合わせて設置され、取付部の接合はボルト、ナットにて現場施工される。照明器具を傾斜天井に取り付ける場合、ボルト、ナットのはずれによる落下への多重安全対策として、落下防止ワイヤー等が使用される場合が多いが、高コストの原因となっていた。
【先行技術文献】
【特許文献】
【０００３】
【特許文献１】実開平３−１２１６１８号公報
【発明の概要】
【発明が解決しようとする課題】
【０００４】
本発明は、落下防止ワイヤーを使用する必要のない、簡易な構成の、傾斜天井用の照明器具の取付装置の提供を目的とする。
【課題を解決するための手段】
【０００５】
この発明の照明器具の取付装置は、
傾斜天井に取り付けられる天井側部材であって、細長い平板形状の天井側平板部と、前記天井側平板部の長手方向における一方の端から起立する第１の天井側起立部と、他方の端から前記第１の天井側起立部の起立方向に起立する第２の天井側起立部とを有し、前記起立方向と反対側の前記天井側平板部の面が前記傾斜天井に取り付けられる天井側部材と、
細長い平板部材で形成された取付部を有する照明器具の前記取付部が取り付けられる細長い平板形状の器具側平板部と、前記器具側平板部の長手方向における一方の端から起立する第１の器具側起立部と、他方の端から前記第１の器具側起立部の起立方向に起立する第２の器具側起立部とを有し、前記第１の器具側起立部が前記第１の天井側起立部と第１の締結具で締結され、かつ、前記第２の器具側起立部が前記第２の天井側起立部と第２の締結具で締結される共に、前記第１の締結具と前記第２の締結具とを結ぶ仮想的な軸を中心に前記天井側部材に対して回動可能な器具側部材と
を備え、
前記器具側部材は、さらに、
前記器具側平板部に取り付けられた前記照明器具の前記取付部が前記器具側平板部から外れたときに、前記照明器具の前記取付部を支持する器具側支持部であって、平板で形成されたフック形状の器具側支持部を有することを特徴とする。
【発明の効果】
【０００６】
この発明により、落下防止ワイヤーを使用する必要のない、簡易な構成の、傾斜天井用の照明器具の取付装置を提供できる。
【図面の簡単な説明】
【０００７】
【図１】実施の形態１の傾斜天井用金具１００および照明器具３００Ａの斜視図。
【図２】実施の形態１の傾斜天井用金具１００の４面図。
【図３】実施の形態１の傾斜天井用金具１００の傾斜天井取付時の側面図。
【図４】実施の形態１の傾斜天井用金具１００の分解組立斜視図。
【図５】実施の形態２の傾斜天井用金具２００および照明器具３００Ｂの斜視図。
【図６】実施の形態２の傾斜天井用金具２００の４面図。
【図７】実施の形態２の傾斜天井用金具２００の傾斜天井取付時の側面図。
【図８】実施の形態２の傾斜天井用金具２００の分解組立斜視図。
【発明を実施するための形態】
【０００８】
実施の形態１．
図１〜図４を参照して、実施の形態１の傾斜天井用金具１００（照明器具の取付装置）を説明する。
図１は、傾斜天井用金具１００および傾斜天井用金具１００に取り付けられた照明器具３００Ａの斜視図である。図２は、傾斜天井用金具１００の４面図である。（ａ）は、上面図であり図１のＸ方向矢視である。（ｂ）は、正面図であり図１のＹ方向矢視である。
（ｃ）は、底面図であり図１のＺ方向矢視である。（ｄ）は、右側面図であり図１のＶ方向矢視である。図３は、傾斜天井用金具１００及び照明器具３００Ａの傾斜天井４００への取付時の側面図であり、図１のＶ方向矢視である。図４は、傾斜天井用金具１００の分解組立斜視図である。
【０００９】
（傾斜天井用金具１００の構成）
図４に示すように、傾斜天井用金具１００は、天井取付側のコの字形状の天井側金具１１０（天井側部材）と、器具取付側のコの字形状の器具側金具１２０（天井側部材）と、天井側金具１１０と器具側金具１２０とを固定する締結具１４０、１５０と、締結具１４０、１５０を結ぶ仮想的な軸を中心に相対的に回動可能な天井側金具１１０と器具側金具１２０との回転を抑制する押え金具１３０（回動抑制部材）と、押え金具１３０を器具側金具１２０に固定する締結具１６０からなる。
【００１０】
（締結具）
図４に示すように、締結具１４０は、ボルト１４１、スプリングワッシャ１４２、座金１４３及びナット１４４からなる。締結具１５０、１６０も締結具１４０と同様の構成である。
【００１１】
（天井側金具１１０）
図３に示すように、天井側金具１１０は、傾斜天井４００に取り付けられる。図４に示すように、天井側金具１１０は細長い平板形状の天井側平板部１１１と、天井側平板部１１１の長手方向における一方の端から起立する第１の天井側起立部１１２と、他方の端から第１の天井側起立部１１２の起立方向に起立する第２の天井側起立部１１３とを有する。天井側金具１１０は、起立部の起立方向と反対側の天井側平板部１１１の天井取付面１１１−１が傾斜天井４００に取り付けられる。
【００１２】
（器具側金具１２０）
図４に示すように器具側金具１２０は、細長い平板部材で形成されたアーム３００Ａ−１（図１）を有する照明器具３００Ａのアーム３００Ａ−１が取り付けられる細長い平板形状の器具側平板部１２１と、器具側平板部１２１の長手方向における一方の端から起立する第１の器具側起立部１２２と、他方の端から第１の器具側起立部１２２の起立方向に起立する第２の器具側起立部１２３とを有する。器具側金具１２０は、図１、図４等に示すように、第１の器具側起立部１２２が第１の天井側起立部１１２と第１の締結具１４０で締結され、かつ、第２の器具側起立部１２３が第２の天井側起立部１１３と第２の締結具１５０で締結される。そして、器具側金具１２０は、第１の締結具１４０と第２の締結具１５０とを結ぶ仮想的な軸１７０を中心に天井側金具１１０に対して回動可能である。
【００１３】
（押え金具１３０）
図４に示すように、器具側金具１２０は、押え金具１３０を備えている。押え金具１３０は、器具側平板部１２１に取り付けられた照明器具３００Ａのアーム３００Ａ−１が器具側平板部１２１から外れたときに、アーム３００Ａ−１を支持する機能も有する。押え金具１３０は、平板で形成され、アーム３００Ａ−１を支持するフック形状の支持部１３１を有する。押え金具１３０は、器具側金具１２０に締結具１４０、１６０で固定され、また、照明器具３００Ａのアーム３００Ａ−１を下側より保持する支持部１３１が設けられている。どのような角度の傾斜天井に取り付けられても、支持部１３１は照明器具３００Ａのアーム３００Ａ−１に常に平行となる。
【００１４】
（天井側金具１１０，器具側金具１２０等の互いの組み付け関係）
次に天井側金具１１０、器具側金具１２０、及び押え金具１３０の組み付け関係を説明する。天井側金具１１０は、図１に示すように、天井取付用ボルト４１０を挿通する取付穴１１１−２を有する。図１に示す天井取付用ボルト４１０等により、傾斜天井４００（図３）に取り付けられる天井側金具１１０に対して、器具側金具１２０は、図１、図４のように、締結具１４０，１５０によって取り付けられる。図１、図２（ｂ）に示すように、第１の器具側起立部１２２は、第１の天井側起立部１１２の内側の側面に位置し、第２の器具側起立部１２３は、第２の天井側起立部１１３の外側の側面に位置するように取り付けられる。
そして、押え金具１３０は、締結具１４０で第１の天井側起立部１１２の外側の側面に締結されると共に、締結具１６０で第１の器具側起立部１２２の外側の側面に締結される。この取り付けにより、押え金具１３０は締結具１４０，１６０により器具側金具１２０に固定されて器具側金具１２０と一体になる。一方、器具側金具１２０は、仮想的な軸１７０を形成する締結具１４０，１５０によって締結されるので、器具側金具１２０は、仮想的な軸１７０を回転軸として回動可能である。この回動可能であることにより、図３のように、傾斜天井用金具１００は、天井側金具１１０が傾斜天井４００に取り付けられた際に、器具側金具１２０と角度θの調節ができる。角度θが決まった後は、締結具１４０〜１６０を締めることで、押え金具１３０により、天井側金具１１０と器具側金具１２０との間の回転が抑制される。
【００１５】
（傾斜天井用金具１００と照明器具３００Ａの組み付け関係）
照明器具３００Ａは、図１、図３に示すように、アーム３００Ａ−１が器具側金具１２０に取り付けられることで、傾斜天井用金具１００に取り付けられる。器具側金具１２０は、器具取付用ボルト３１０を挿通する取付穴１２４（図２（ｃ））を有する。アーム３００Ａ−１は、取付穴１２４を貫通する器具取付用ボルト３１０（図１）で器具側金具１２０に取り付けられる。器具側金具１２０の器具側平板部１２１の上面には器具取付用ボルト３１０の相手ナットであるナット１２１−１が溶接されている。
【００１６】
以上の傾斜天井用金具１００では、天井取付側のコの字形状の天井側金具１１０と、器具取付側のコの字形状の器具側金具１２０とは、起立部どうしが向かい合うように向き合わせて配置される。天井側金具１１０と器具側金具１２０とは、起立部の先端付近がボルト締結（締結具１４０，１５０）され、締結具のボルトを緩めると軸回動でき、さらに締結具１６０で締結し、締結具１４０〜１６０のボルトを締付けると天井取付面と器具取付面の角度θが異なる状態で固定できる。傾斜天井用金具１００は、ボルト締結部に、天井側金具１１０と器具側金具１２０とを、より強固に固定する押え金具１３０を備える。この押え金具１３０の一部に、照明器具３００Ａ（アーム３００Ａ−１）を保持できるフック形状の支持部１３１が形成されている。よって、万が一、照明器具３００Ａを取付ける器具取付用ボルト３１０が外れた場合でも、この支持部１３１がアーム３００Ａ−１を支持するので照明器具３００Ａの落下を防止できる。また、支持部１３１は、天井側金具１１０と器具側金具１２０とをより強固に固定する押え金具１３０に形成されている（押え金具１３０が支持部１３１を兼用する）ので、部品点数を削減できる効果もある。
【００１７】
実施の形態２．
次に図５〜図８を参照して実施の形態２の傾斜天井用金具２００を説明する。傾斜天井用金具２００は、実施の形態１の傾斜天井用金具１００に対し、押え金具１３０が器具側金具２２０と一体に形成されている。また、実施の形態２の照明器具３００Ｂは、実施の形態１の照明器具３００Ａに対してアーム３００Ｂ−１の形状が若干異なる。図１、図５のように、実施の形態１のアーム３００Ａ−１はＹ矢視ではコの字形状（９０度左回転したコの字）であるのに対して、アーム３００Ｂ−１は、両側の側面が傾斜した台形形状である。
【００１８】
傾斜天井用金具２００は傾斜天井用金具１００と類似である。傾斜天井用金具１００の要素には１００番台の符号を付したのに対して、傾斜天井用金具２００には２００番台の符号を付した。例えば天井側金具２１０は天井側金具１１０に対応する。
【００１９】
図５は、傾斜天井用金具２００および傾斜天井用金具２００に取り付けられた照明器具３００Ｂの斜視図である。
図６は、傾斜天井用金具２００の４面図である。
（ａ）は、上面図であり図５のＸ方向矢視である。
（ｂ）は、正面図であり図５のＹ方向矢視である。
（ｃ）は、底面図であり図５のＺ方向矢視である。
（ｄ）は、右側面図であり図５のＶ方向矢視である。
図７は、傾斜天井用金具２００及び照明器具３００Ｂの傾斜天井４００への取付時の側面図であり、図５のＶ方向矢視である。
図８は、傾斜天井用金具２００の分解組立斜視図である。
【００２０】
（傾斜天井用金具２００の構成）
図８に示すように、傾斜天井用金具２００は、天井取付側のコの字形状の天井側金具２１０（天井側部材）と、器具取付側のコの字形状の器具側金具２２０（器具側部材）と、天井側金具２１０と器具側金具２２０とを、締結具２４０、２５０を結ぶ仮想的な軸２７０を中心に相対的に回動可能に締結する締結具２４０、２５０と、天井側金具２１０と器具側金具２２０との回動を抑止する締結具２６０からなる。
【００２１】
（締結具）
図８に示すように、締結具２４０は、ボルト２４１、スプリングワッシャ２４２、座金２４３及びナット２４４からなる。締結具２５０、２６０も締結具２４０と同様の構成である。
【００２２】
（天井側金具２１０）
図７に示すように、天井側金具２１０は、傾斜天井４００に取り付けられる。図８に示すように、天井側金具２１０は細長い平板形状の天井側平板部２１１と、天井側平板部２１１の長手方向における一方の端から起立する第１の天井側起立部２１２と、他方の端から第１の天井側起立部２１２の起立方向に起立する第２の天井側起立部２１３とを有する。天井側金具２１０は、起立方向と反対側の天井側平板部２１１の天井取付面２１１−１が傾斜天井４００に取り付けられる。
【００２３】
（器具側金具２２０）
器具側金具２２０は、細長い平板部材で形成されたアーム３００Ｂ−１（図５）を有する照明器具３００Ｂのアーム３００Ｂ−１が取り付けられる細長い平板形状の器具側平板部２２１と、器具側平板部２２１の長手方向における一方の端から起立する第１の器具側起立部２２２と、他方の端から第１の器具側起立部２２２の起立方向に起立する第２の器具側起立部２２３とを有する。第１の器具側起立部２２２の先端には、実施の形態１の支持部１３１に相当する、支持部２３１が形成されている。支持部２３１は、器具側平板部２２１に取り付けられた照明器具３００Ｂのアーム３００Ｂ−１が器具側平板部２２１から外れたときに、アーム３００Ｂ−１を支持する。支持部２３１は、平板で形成され、アーム３００Ｂ−１を支持するフック形状をなす。支持部２３１は、照明器具３００Ｂのアーム３００Ｂ−１をその下側より保持する。支持部２３１は照明器具３００Ｂが取り付けられる器具側金具２２０の一部として形成されるので、押え金具１３０の支持部１３１と同様に、どのような角度の傾斜天井に取り付けられても、支持部２３１は照明器具３００Ｂのアーム３００Ｂ−１に常に平行となることは当然である。
【００２４】
また器具側金具２２０は、図５、図８等に示すように、第１の器具側起立部２２２が第１の天井側起立部２１２と第１の締結具２４０で締結され、かつ、第２の器具側起立部２２３が第２の天井側起立部２１３と第２の締結具２５０で締結される。また、第１の天井側起立部２１２にはスライド用長穴２１２−１が形成されており、第１の器具側起立部２２２にはボルト用貫通穴２２２−１が形成されている。そして、ボルト用貫通穴２２２−１とスライド用長穴２１２−１とは連通するので、組み付け時において締結具２４０〜２６０が緩められているときには、器具側金具２２０は、第１の締結具２４０と第２の締結具２５０とを結ぶ仮想的な軸２７０を中心に、スライド用長穴２１２−１の長さ分だけ、天井側金具２１０に対して回動可能である。この回動可能であることにより、図７のように、傾斜天井用金具２００は、天井側金具２１０が傾斜天井４００に取り付けられた際に、器具側金具２２０と角度θの調節ができる。角度θが決まった後は、締結具２４０〜２６０を締めることで、天井側金具２１０と器具側金具２２０との間の回転が抑制される。
【００２５】
（天井側金具２１０，器具側金具２２０の組み付け関係）
次に天井側金具２１０と器具側金具２２０との組み付け関係を説明する。天井側金具２１０は、図５に示すように、天井取付用ボルト４１０を挿通する取付穴２１１−２を有する。図５に示す天井取付用ボルト４１０等により、傾斜天井４００（図７）に取り付けられる天井側金具２１０に対して、図８のように、器具側金具２２０は、締結具２４０，２５０によって、取り付けられる。図５、図６（ｂ）に示すように、第１の器具側起立部２２２は、第１の天井側起立部２１２の内側の側面に位置し、また第２の器具側起立部２２３も、第２の天井側起立部２１３の内側の側面に位置するように取り付けられる。そして、器具側金具２２０の支持部２３１は、第１の天井側起立部２１２の先端よりも照明器具３００Ｂ側に配置されて（図６（ｄ））、照明器具３００Ｂが外れた際に、アーム３００Ｂ−１を支持する。
【００２６】
（１００と照明器具３００Ｂの組み付け関係）
照明器具３００Ｂは、図５、図７に示すように、アーム３００Ｂ−１が器具側金具２２０に取り付けられることで、傾斜天井用金具２００に取り付けられる。器具側金具２２０は、器具取付用ボルト３１０を挿通する取付穴２２４（図６（ｃ））を有する。アーム３００Ｂ−１は、取付穴２２４を貫通する器具取付用ボルト３１０で器具側金具２２０に取り付けられる。器具側金具２２０の器具側平板部２２１の上面には器具取付用ボルト３１０の相手ナットであるナット２２１−１が溶接されている。
【００２７】
以上の傾斜天井用金具２００では、天井取付側のコの字形状の天井側金具２１０と、器具取付側のコの字形状の器具側金具２２０とは、起立部の起立方向を同一方向にして配置される。天井側金具２１０と器具側金具２２０とは、起立部の先端付近がボルト締結（締結具２４０，２５０、２６０）され、締結具２４０，２５０，２６０のボルトを緩めると軸回動でき、このボルトを締付けると天井取付面と器具取付面の角度θ（図７）が異なる状態で固定できる。傾斜天井用金具２００は、器具側金具２２０の第１の器具側起立部２２２に、照明器具３００Ｂ（アーム３００Ｂ−１）を保持できる支持部２３１が形成されている。万が一、照明器具３００Ｂを取付けるボルト３１０が外れた場合でも、この支持部２３１がアーム３００Ｂ−１を支持して、照明装置３００Ｂの落下を防止する。また、支持部２３１は、器具側金具２２０に形成されているので、部品点数を削減できる効果もある。
【符号の説明】
【００２８】
１００  傾斜天井用金具、１１０  天井側金具、１１１  天井側平板部、１１１−１  天井取付面、１１１−２  取付穴、１１２  第１の天井側起立部、１１３  第２の天井側起立部、１２０  器具側金具、１２１  器具側平板部、１２１−１  ナット、１２２  第１の器具側起立部、１２３  第２の器具側起立部、１３０  押え金具、１３１  支持部、１４０  締結具、１４１  ボルト、１４２  スプリングワッシャ、１４３  座金、１４４  ナット、１５０，１６０  締結具、１７０  仮想的な軸、２００  傾斜天井用金具、２１０  天井側金具、２１１  天井側平板部、２１１−１  天井取付面、２１１−２  取付穴、２１２  第１の天井側起立部、２１３  第２の天井側起立部、２２０  器具側金具、２２１  器具側平板部、２２１−１  ナット、２２２  第１の器具側起立部、２２３  第２の器具側起立部、２３０  押え金具、２３１  支持部、２４０  締結具、２４１  ボルト、２４２  スプリングワッシャ、１４３  座金、４４  ナット、２５０，２６０  締結具、３００Ａ  照明器具、アーム  ３００Ａ−１、３１０  器具取付用ボルト、４００  傾斜天井、４１０  天井取付用ボルト。
【図１】
2013218833.tif 000003
【図２】
2013218833.tif 000004
【図３】
2013218833.tif 000005
【図４】
2013218833.tif 000006
【図５】
2013218833.tif 000007
【図６】
2013218833.tif 000008
【図７】
2013218833.tif 000009
【図８】
2013218833.tif 000010